Podtech/llm-jp-corpus-v4-ja_patent huggingface dataset:
(57)【要約】【課題】  従来の複数の板を各直角に折り曲げて一部を直立させ、その直立部を並べた間に本を立てる本立ては、本の出し入れ等によりその間隔が容易にずれて本が倒れやすかった。これはその間隔を手軽かつ確実に維持し変更する機能が無かったためである。【解決手段】  本を支える並んだ直立部の手軽な間隔の維持と変更を可能とするため平面から立ち上がる直立部の空間領域の基部をややせまくし、平面の一部を広径部と狭径部が交互に連続する連結帯とした仕様体が、同様の複製仕様体の複製基部に連結帯を差し込んで狭径部で嵌合して両仕様体を連結して、その間隔を手軽かつ確実に維持し変更する機能を有する本立てとした。【選択図】図２
2010167226.tif 000002
【特許請求の範囲】
【請求項１】
板を、その面に端に達しない箇所で裏面まで切削する切断溝をＵ字状に設けてＵ字状のＵの上端付近の両外側部間の幅をやや小径とし、それよりも下部のＵの内側部の幅が広径と狭径が交互に連続し、前記小径よりも広径は大きく狭径は小さくして、Ｕの両上端かそれよりもやや下を通過する直線で板をＵ字状内側部を除いて直角状に折り曲げた状態に前記小径部を含めて直立させた仕様体として、同様の複製仕様体の複製小径部に前記狭径部を嵌合させた本立て。
【発明の詳細な説明】
【技術分野】
【０００１】本発明は、本を支える並んだ直立部の手軽な間隔の維持と変更を可能とした本立てに関する。
【背景技術】
【０００２】  従来の、複数の板を各直角に折り曲げて一部を直立させ、その直立部を並べた間に本を立てる本立ては、本の出し入れ等によりその間隔が容易にくずれて本が倒れやすかった。
【発明の開示】
【発明が解決しようとする課題】
【０００３】  本発明は従来の実態が有していた問題を解決しようとするものであり、本を支える並んだ直立部の手軽な間隔の維持と変更を可能とするものである。
【課題を解決するための手段】
【０００４】  本発明は、その実現のため、板を、その面に端に達しない箇所で裏面まで切削する切断溝をＵ字状に設け、そのＵ字状のＵの上端付近の両外側部の間の幅をややせまくした小径とし、それよりも下部の、Ｕの内側部の帯状の幅が広径と狭径が交互に連続し、前記小径よりも広径は大きく狭径は小さくして、Ｕの両上端かそれよりもやや下を通過する直線で板をＵ字状内側部を除いて直角状に折り曲げた部分が小径部も含めて直立させた仕様体とし、その直立の前記Ｕ字状領域を、基部の幅をややせまい小径とした空間とする。
なお、以下文中、折り曲げられなかった広径と狭径が交互に連続する帯状のＵ字状内側部分、を連結帯ともいう。【０００５】  他の板を同様の複製仕様体として、その複製直立部の複製空間領域に差し込んだ前記連結帯の狭径部のうちの適宜の狭径部を、複製直立部の基部の複製小径部に嵌合して仕様体と複製仕様体を連結し、並んだ両直立部を任意の間隔にした本立てとする。【０００６】  複数の板を同様に複製した仕様体とし、各連結帯を同一方向にして並べて、前記同様の嵌合態様を繰り返す。【０００７】  広径と狭径による連続する凸凹を、連結帯の片側のみに設定して、対側を直線状とし、直立部同士の間隔の設定や変更時には、前記の、複製直立部の複製空間領域に差し込んだ前記連結帯を複製小径部よりも高く持ち上げて連結帯を移動させ、そうして任意の狭径部と複製小径部を嵌合する。または、連結帯の両側部に交互に連続する凸凹を設定して、連結体を、同じく移動、嵌合する。【０００８】  本考案実施をプラスチック材の成型や、金属材の加工物とする。【０００９】  場合により、Ｕ字状のＵの下部をより直線的なコの字状にする。【００１０】  上記課題解決手段による作用は次のとおりである。
板を、前記仕様体とし、他の板を同様の複製仕様体として、その複製直立部の複製空間領域に差し込んだ前記連結帯の狭径部のうちの適宜の狭径部で複製直立部の基部の複製小径部に嵌合して仕様体と複製仕様体を連結すれば両直立部を任意の間隔に調整出来、外部から両直立部間を不如意の間隔に動かそうとする力が働いても、嵌合している狭径部の前後の広径部のいずれかが複製小径部の複製直立部に当たってその力を阻止して連結帯の一定以上の移動を防ぐ。両直立部の間隔を変更するには連結帯を複製小径部の位置よりも高く持ち上げて移動し前記同様に嵌合すればよいので、本を支える並んだ直立部の手軽な間隔の維持と変更が可能となるものである。【００１１】  複数の板を同様、複製した仕様体とし、各連結帯を同一方向に並べて、前記嵌合態様を繰り返すことにより、限りなく収容力の大きい、各直立部それぞれを相互の間隔の手軽な維持と変更が可能な間仕切りとした本立てとなる。【００１２】  広径と狭径による凸凹を、連結帯の片側のみの設定として、対側を直線状の対側直線部とすれば、並んだ直立部同士の間隔の設定や変更時、その対側直線部に凸凹による引っかかりがなくなめらかで、直立部の間隔の変更容易とする本立てとなるし、または、凸凹を連結帯の両側に設定すれば、嵌合状態がより緊密となり、外部からの不如意の力への対応性が増す。【００１３】  本考案実施をプラスチック材の成型とすれば、より量産効果が望めるし、金属材の加工として、強度の高いものとしても良い。【００１４】  Ｕ字状のＵの下部をより直線的なコの字状にすることは、広径と狭径の設定部分を増加できる効果がある。
【発明を実施するための最良の形態】
【００１５】
【００１６】  本発明の実施の一例の形態を図１、図２、図３に基づいて説明する。【００１７】  本発明の仕様体１の直立部１４の空間領域１４１はその基部の小径部１１の幅がやや狭く、連結体１４２の幅は小径部１１の幅よりも広径部１２で広く狭径部１３で狭くして交互に連続する凸凹とし、同様の複製仕様体２の複製直立部２４の複製空間領域２４１に差し込んだ連結帯１４２を、その基部の複製小径部２１に適宜の狭径部１３で嵌合して、図３ではその嵌合状態を左右の両複製直立部２４の間の複製小径部２１に嵌合した狭径部１３と前後の広径部１２で示しており、図２は複製連結帯２４２に連結体１４２の一部が重なる状態で仕様体１と複製仕様体２が連結している概略図で、そうして複製直立部２４と直立部１４の間隔を任意の間隔で維持し、その間隔を変更するには連結帯１４２を複製小径部２１よりも高く持ち上げて移動させ、前記同様の嵌合態様とした、本を支える並んだ直立部の手軽な間隔の維持と変更が可能な本立てとしたものである。
【図面の簡単な説明】
【００１８】
【図１】本発明の実施形態を示す、仕様体１の外観図
【図２】同、仕様体１と複製仕様体２を嵌合した本立ての概略図
【図３】図２の嵌合部分の概略図
【符号の説明】
【００１９】１      仕様体
２      複製仕様体
１１    小径部
１２    広径部
１３    狭径部
１４    直立部
２１    複製小径部
２４    複製直立部
１４１  空間領域
１４２  連結体
２４１  複製空間領域
２４２  複製連結体
【図１】
2010167226.tif 000003
【図２】
2010167226.tif 000004
【図３】
2010167226.tif 000005
(57)【要約】【課題】  本発明は、天然鉱石の微粉末を主原料にし、放射線、マイナスイオンを放出する希有の鉱物の粉末体と、合成樹脂材料を混入したことを特徴と天然鉱石を主原料とした加工製品で、ラジウム効果、マイナスイオンの機能を利用した天然鉱石を主原料とした加工製品を提供する。【解決手段】天然鉱石の微粉末を主原料にし、放射線、マイナスイオンを放出する希有の鉱物の粉末体と、合成樹脂材料を混入したことを特徴とする。【特許請求の範囲】
【請求項１】
天然鉱石の微粉末を主原料にし、放射線、マイナスイオンを放出する希有の鉱物の粉末体と、合成樹脂材料を混入したことを特徴と天然鉱石を主原料とした加工製品。
【発明の詳細な説明】
【技術分野】
【０００１】  本発明は、天然鉱石の微粉末を主原料にし、放射線、マイナスイオンを放出する希有の鉱物の粉末体と、合成樹脂材料を混入したことを特徴と天然鉱石を主原料とした加工製品で、ラジウム効果、マイナスイオンの機能を利用した天然鉱石を主原料とした加工製品に関すものである。
【背景技術】
【０００２】  北投石はラジウム線を放射する希有の鉱石である。
他の同位元素を含有する放射性鉱物と異なり、人体に無害である。
その安全性の高さの効能を活用し、北投石と同等の効能を発揮する物質を玉にしてつなげ、たとえば、ネックレスやブレスレットに加工し、おしゃれなアクセサリーにしたのである。
マイナスイオンは弱った細胞を活性化し、酸性化した体内を弱アルカリ性にする働きがある。
他にも、免疫系の強化、体内の乳酸を代謝し疲労回復、血流の改善といった働きがある。
【発明の開示】
【発明が解決しようとする課題】
【０００３】  従来のものには、次のような問題点があった。
鉱石パウダーのみを団子状に手で作り、あとから穴を開けると、いった方法を取っていた。
以上の方法では、大量生産が困難で、製造価格も高くなっていた。
これを解決するために、プラスチックの金型を作り、成型品を作成した。
その結果、自由な形の商品や好みの色彩など、希望する製品を大量に製造し、製品化することができるようになった。
【課題を解決するための手段】
【０００４】  天然鉱石の微粉末を主原料にし、放射線、マイナスイオンを放出する希有の鉱物の粉末体と、合成樹脂材料を混入する。
以上のようなことを特徴とする天然鉱石を主原料とした加工製品である。
【発明の効果】
【０００５】  肩、首のコリ、腰やひざの痛み、めまいなど、さまざまな体調不良の解消が期待できる。
弱った細胞や繁殖しつつある病原菌はラジウムの有効成分を敏感に感受し、他の健康な細胞に何ら影響も与えずに治療効果を発揮できる。
人工の北投石を特殊加工し、粉末入りボールに仕上げ、ラジウム放射と同時にマイナスイオンンも発生するため、より効果的に体に作用する。
たとえば、ネックレスやブレスレットに加工し、アクセサリーにして、常時身に付ければ、ラジウム放射線とマイナスイオン効果をすぐ体感できる。効能は半永久的に持続する。
【発明を実施するための最良の形態】
【０００６】  以下、本発明の実施の形態について説明する。
天然鉱石の微粉末を主原料にし、放射線、マイナスイオンを放出する希有の鉱物の粉末体と、合成樹脂材料を混入したことを特徴と天然鉱石を主原料とした加工製品である。
プラスチックに天然の鉱石パウダー等を混合するということは、鉱石パウダーはプラスチックと違い高温でも溶けない。
プラスチック成型機が著しく消耗するなど、いろいろ問題があった。
そこを樹脂の温度調節や材料の乾燥等の技術を使い、成型を可能にした。
(57)【要約】【課題】男性が小便をすると、色々なところに飛び散ってしまい、小便が終わった後に掃除をしないですむようにするために、男性用おしっこ飛び散り防止器を提供する。【解決手段】プラスチック容器（１）の上部に取っ手（５）を設け、吸盤フック（６）に引っかける。また、プラスチック容器（１）の一端に着脱式キャップ（２）を取り付け、ゴムホース（３）と固定吸盤（４）を設けた。男性用おしっこ飛び散り防止器を特徴とする。【選択図】図１
2010167232.tif 000002
【特許請求の範囲】
【請求項１】
（イ）プラスチック容器（１）の一端に着脱式キャップ（２）及びゴムホース（３）を取り付け、固定吸盤（４）を便座下部に、取っ手（５）と吸盤フック（６）をトイレタンクに取り付ける。
（ロ）プラスチック容器（１）と着脱式キャップ（２）は取り外しできる。
（ハ）プラスチック容器（１）先端から小便を流し込み、着脱式キャップ（２）、ゴムホース（３）を経由して外に流れ出る。
以上の構成よりなる男性用おしっこ飛び散り防止器。
【発明の詳細な説明】
【技術分野】
【０００１】  この発明はプラスチック容器とゴムホースを取り付けて、小便を流し出す、男性用おしっこ飛び散り防止器に関するものである。
【背景技術】
【０００２】  従来、小便をした後に尿が飛び散り、トイレットペーパーやトイレクリーナーで拭き取っていた。
【発明の開示】
【発明が解決しようとする課題】
【０００３】  従来、小便が飛び散らないように気をつけてもあちこちに飛び散ってしまう。その為終わったあとに拭き取らなければならないことが多々あり、不潔だし、面倒であった。
【課題を解決するための手段】
【０００４】  プラスチック容器（１）の先に着脱式キャップ（２）とゴムホース（３）を取り付けて、小便を流し出す。固定吸盤（４）を便座下部に、取っ手（５）と吸盤フック（６）をトイレタンクに取り付け固定する。
本発明は、以上の構成よりなる男性用おしっこ飛び散り防止器である。
【発明の効果】
【０００５】  トイレで小便をするといろいろなところに飛び散り、終わった後で拭き掃除をしなければならないが、男性用おしっこ飛び散り防止器を使うと、小便が飛び散らない。
トイレを清潔に保てて、面倒な掃除をしなくても良い。
【発明を実施するための最良の形態】
【０００６】  以下、本発明を実施するための最良の形態について説明する。
プラスチック容器（１）の上部横に取っ手（５）をつける。プラスチック容器（１）と着脱式キャップ（２）は取り外しが可能で、着脱式キャップ（２）とゴムホース（３）と固定吸盤（４）は固定されている。
固定吸盤（４）は便座下側に取り付け、ゴムホース（３）を固定する固定吸盤（４）となる。取っ手（５）はトイレタンクに吸盤フック（６）を取り付けて引っ掛けて置く。
本発明は以上のような構造である。
これを使用するときは固定吸盤（４）を便座下部に、取っ手（５）と吸盤フック（６）をトイレタンクに取り付けて、プラスチック容器（１）を手に持ち、男性性器をプラスチック容器（１）に入れて小便をして、使い終わったらプラスチック容器（１）を取っ手（５）から吸盤フック（６）に引っ掛けて置けば良い。
【図面の簡単な説明】
【０００７】
【図１】本発明の斜視図である。
【図２】本発明の取り付け図である。
【符号の説明】
【０００８】  １プラスチック容器
２着脱式キャップ
３ゴムホース
４固定吸盤
５取っ手
６吸盤フック
【図１】
2010167232.tif 000003
【図２】
2010167232.tif 000004
(57)【要約】【課題】  通気性を主とする絹物質の特性を保持し、使用時に痛みや不快感をともなわず、かつ汗の臭いや繭独特の異臭が緩和される絹物質で中綿（クッション）を構成する枕の提供。【解決手段】  繊維部分に精油（植物から採取した芳香物質を含む有機化合物）を浸透させた蚕の繭や切り繭（繭の一部を切開し内部の蚕を除去したもの）を中芯とし、それを絹繊維で包んだ二層構造を有する枕とし、枕の中心部に配置される中空の形状を有する繭や切り繭（繭の一部を切開し内部の蚕を除去したもの）が形成する空気層により通気性を保持しながら、絹繊維のクッション性で痛みや不快感をやわらげ、精油の芳香により汗の臭いや繭独特の異臭を緩和、払拭する。【選択図】図２
2010167235.tif 000002
【特許請求の範囲】
【請求項１】
本体の繊維部分に精油（植物から採取した芳香物質を含む有機化合物）を浸透させた蚕の繭、あるいは切り繭（繭の一部を切開し内部の蚕を除去したもの）を中芯とし、それを絹繊維で包んだ二層構造の中綿（クッション）を有することを特徴とする枕
【発明の詳細な説明】
【技術分野】
【０００１】  本発明は、通気性、吸汗性、速乾性を主な特性とする絹物質を中綿（クッション）に用いた枕に関するものである。
【背景技術】
【０００２】  絹物質の特性を活かして絹物質で中綿（クッション）を構成する枕を作成する場合、生糸、真綿、シルクスライパーを主とする絹繊維、または繭や切り繭（繭の一部を切開し内部の蚕を除去したもの）そのものを中綿（クッション）に用いる、あるいは絹繊維と繭や切り繭を混合して中綿（クッション）を構成する方法が一般的であった。
【発明の開示】
【発明が解決しようとする課題】
【０００３】  生糸、真綿、シルクスライパーを主とする絹繊維を枕の中綿（クッション）に用いる場合、使用時に頭が沈み込むことにより、中綿（クッション）が圧縮されるため、通気性が損なわれ易いものであった。また、繭や切り繭（繭の一部を切開し内部の蚕を除去したもの）そのものを用いる場合や、絹繊維と繭や切り繭を混合して中綿（クッション）を構成する場合はクッション性が弱く使用時に痛みや不快感を与え得るものであった。そして長時間鼻の近くで使用する用具であるため、通気性が悪化した時に発生する汗の臭い、及び、内包される繭や切り繭独特の異臭が感じられるものであった。
【課題を解決するための手段】
【０００４】  そこで、本発明は、以上の課題を解決すべく、繊維部分に精油（植物から採取した芳香物質を含む有機化合物）を浸透させた複数個の繭や切り繭（繭の一部を切開し内部の蚕を除去したもの）を中芯として中心部に配置し、その周りを絹繊維（生糸、真綿、シルクスライパーなど）で包んだ二層構造の中綿（クッション）を有する枕とした。
【発明の効果】
【０００５】  本発明により、枕使用者の頭の沈み込みにより中綿（クッション）が圧縮されても、枕の中心部に配置された中空形状の繭や切り繭が形成する空気層により通気性が保持され、また、繭や切り繭を包む絹繊維のクッション性により、枕使用時の痛みや不快感が払拭されつつ、繭や切り繭に浸透させた精油（植物から採取した芳香物質を含む有機化合物）の芳香により、汗や繭独特の異臭が緩和、払拭される。さらに精油の効能が枕の使用者に提供される。一例をあげると、ラベンダーを用いれば安眠、レモングラスを用いれば防虫の効果である。
【発明を実施するための最良の形態】
【０００６】  以下、本発明の実施形態について図面を用いて説明する。図２は本発明品の断面図である。精油（植物から採取した芳香物質を含む有機化合物）を浸透させた繭を絹繊維で包んだ構造を示している。繭は先端の一部を切断し、この開口部から内部の蚕を除去した切り繭を用いるのが望ましい。その際、充分に洗浄、殺菌を施した後、繭の繊維部分に精油（植物から採取した芳香物質を含む有機化合物）を浸透させる。繭が枕の中心部から位置がずれるのを防ぐために、繭を不織布を主とする通気性を保持する中袋に充填し、それを絹繊維で包み中袋同様の素材製の外袋に入れた後に枕カバーに装填し、本発明品が完成する。揮発性の精油を用いて芳香が弱くなった場合は、繭を中袋ごと取り出すか、注射器、注入器を用いて精油を繭に再浸透させる。
【図面の簡単な説明】
【０００７】
【図１】本発明に関わる精油を浸透させた蚕の繭を絹繊維で包んだ中綿入り枕の斜視図である。
【図２】本発明に関わる精油を浸透させた蚕の繭を絹繊維で包んだ中綿入り枕の断面図である。
【符号の説明】
【０００８】  １  精油を浸透させた繭
２  中袋
３  絹繊維
４  外袋
５  枕カバー
【図１】
2010167235.tif 000003
【図２】
2010167235.tif 000004
(57)【要約】【課題】  本発明は、篭手さげ使用時に中身の盗難を防いだり、内容物の飛散を防ぐ篭手さげの中袋を提供する。【解決手段】  中袋（１）の上面にスライドファスナー（２）を設け開閉自在とした開口部とし、上面の外周の４カ所に取り付け用固定具（５）を設け、スライドファスナー（２）の両端部近傍に固定用ひも（４）を設け、中袋の内部周壁には一つまたは複数のポケット（３）を設けたことを特徴とする篭手提げの中袋。【選択図】図１
2010167236.tif 000002
【特許請求の範囲】
【請求項１】
中袋（１）の上面にスライドファスナー（２）を設け開閉自在とした開口部とし、上面の外周の４カ所に取り付け用固定具（５）を設け、スライドファスナー（２）の両端部近傍に固定用ひも（４）を設け、中袋の内部周壁には一つまたは複数のポケット（３）を設けたことを特徴とする篭手提げの中袋。
【発明の詳細な説明】
【技術分野】
【０００１】  本発明は、篭手さげ使用時に中身の盗難を防いだり、内容物の飛散を防ぐ篭手さげの中袋を提供する。
【背景技術】
【０００２】  従来、篭手提げバックの中袋を巾着式にしたものはあったが、中の物を取り出すときには、両手を使って開閉作業を行うため不便だった。また、巾着式の中袋では、中の物が散らかり、探し出すのに苦労することがあった。
【発明の概要】
【発明が解決しようとする課題】
【０００３】  そのため、次のような問題点があった。
（イ）篭手さげの場合、中身が透けて見えてしまった。
（ロ）巾着式の中袋では中身を取り出す時、両手を使って開閉作業をするため両手を必要としていた。
本発明は以上の問題点を解決しようとするものである。
【課題を解決するための手段】
【０００４】  中袋の上面にスライドファスナーを設け、開閉自在とした開口部とし、上面の外周の４ヶ所に環状の取り付け用固定部を設け、スライドファスナーの両端近傍に固定用ひもを設け、中袋の内部周壁には複数のポケットを設けた。
【発明の効果】
【０００５】  今までの篭手さげは中袋が巾着式で中の物を出す時は両手を使わなくては物を出せなかったが、中袋上面の外周に取り付け用固定部を設けたことにより、片手で開閉自在となった。また、開口部にファスナーを設けたことにより、内容物が見えず、盗難を防ぎ、普通のハンドバッグと同じ使い方ができる。
【図面の簡単な説明】
【０００７】
【図１】  本発明の斜視図である。
【図２】  本発明の使用状態を示す斜視図である。
【図３】  本発明の使用状態の縦断面図である。
【発明を実施するための形態】
【０００６】  以下、本発明の実施の形態について説明する。
（イ）布の中袋（１）の上面にスライドファスナー（２）を設ける。
（ロ）中袋（１）の上部の外周４カ所に環状の取り付け用固定具（５）を設ける。
（ハ）スライドファスナー（２）の両端部近傍に固定用ひも（４）を設ける。
（ニ）中袋の内部周壁に一つまたは複数のポケット（３）を設ける。
以上の構成となっている。
次に、使い方を説明する。
篭手さげバッグ（６）の中に、中袋（１）を入れ、篭手さげの持ち手部分に取り付け固定具（５）を取り付ける。また、固定用ひも（４）で篭手さげへと縛りつけることで、スライドファスナー（２）開閉時に中袋が安定し、ひもは装飾の役割も果たす。
また、内部に設けたポケット（３）により小物類を収納可能としている。
【符号の説明】
【０００８】      １        中袋
２        スライドファスナー
３        ポケット
４        固定用ひも
５        取り付け用固定具
６        篭手さげバッグ
【図１】
2010167236.tif 000003
【図２】
2010167236.tif 000004
【図３】
2010167236.tif 000005
(57)【要約】      （修正有）【課題】従来の遊具では、遊具盤の振動により碁石、将棋・チェス・オセロの駒が移動してしまい，新聞連載のゲームをフォローするのが困難であった。又、乗り物による長距離の旅行中でのプレイが困難であった。【解決手段】この不便を解決するために碁石、駒に磁性を持たせ、遊具盤の表面に薄い鉄板を張ることを考え出した。【選択図】図１
2010167234.tif 000002
【特許請求の範囲】
マグネットを利用した全ての遊具。
【請求項１】
碁石、及び将棋、チェス、オセロの駒に磁力を持たせた物。
【請求項２】
薄い鉄板を張った遊具盤。
【発明の詳細な説明】
【技術分野】
【０００１】  本発明は遊具に関するものであり、碁石や将棋、チェス、オセロｅｔｃの駒が振動により動くのを防止しようとした物である。
【背景技術】
【０００２】  従来の遊具は振動や誤った手の動きで碁石又は各駒が移動してしまう欠点があった。
【発明の開示】
【発明が解決しようとする課題】
【０００３】これでは、振動のある環境ではゲームをするのに不便であるし、新聞などに連載されるゲームを連日追うのに不便である。
【課題を解決するための手段】
【０００４】  この課題を解決するための請求項１の発明は、碁石及び将棋、チェス、オセロの駒に磁力を帯びさせる事を特徴とする。【０００５】  又、請求項２は薄い鉄板を張った遊具盤であり請求項１と密着して碁石又は駒が移動することを防止できる。
【発明の効果】
【０００６】  本発明により盤上に置いた碁石又は各駒が移動せず、  鉄道による長旅にも、誤った操作による碁石又は各駒の  移動の防止にも対応できる。又、新聞に連載されるゲームを容易にフォローすることができる。
【発明を実施するための最良の形態】
【０００７】  図１は、ごの遊具の立体図である。
この図に示すように仕掛けは簡単である。【０００８】  図２、この遊具の盤である。この盤を傾けても振動させても碁石又は各駒は移動しない。だから長距離の鉄道による旅行中でもゲームを楽しむことが出来るし、新聞に連載されるゲームをフォローする事が出来る。【０００９】  これらの材料は、碁石又は各駒に磁気を帯びさせれば良い。
【産業上の利用可能性】
【００１０】本発明にかかわる遊具は、工業的に量産する事が可能であるため、産業上の利用可能性を有する。
【図面の簡単な説明】
【００１１】
【図１】  遊具（碁石及び将棋駒）の立体図である。チェス、オセロの図は省略する。
【図２】  遊具盤の立体図である。
【図１】
2010167234.tif 000003
【図２】
2010167234.tif 000004
【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
囲碁の碁石、将棋・チェス・オセロの駒に磁性を持たせる。遊具盤の表面に薄い鉄板を張る。これらの遊具一式。
(57)【要約】【課題】従来規格品であるデスクマットと、同素材製による埃集積箱を一体化させ、片手で安全かつ容易に扱え、簡易・便利性機能を持たせた、勉強・事務作業時に発生する消しゴム使用後の消しカスや埃等を飛散させることなく１箇所へ集積する箱を有する塩化ビニール製または樹脂性軽量造形材製の埃集積箱付きデスクマットを提供する。【解決手段】本発明は以上のような構造である、塩化ビニール製または樹脂性軽量造形材製マット本体１の四辺の内の１辺側へ塩化ビニール製または樹脂性軽量造形材製の埃集積箱２を設けるとともに、安全性・便利性・携帯性を考慮した、埃集積箱付きデスクマットを特徴とする。【選択図】図１
2010167231.tif 000002
【特許請求の範囲】
【請求項１】
勉強・事務作業時に発生する消しゴム使用後の消しカスや埃等を四散させることなく１箇所へ集積する箱を有する塩化ビニール製または樹脂性軽量造形材製のデスクマットであって、従来既製品であるデスクマットを使用する要領と同様の動作でデスクマットを脱着及び利用出来る、携帯性と安全性を考慮した、埃等を集積する塩化ビニール製または樹脂性軽量造形材製の箱と塩化ビニール製または樹脂性軽量造形材製のマットを有するデスクマットを特徴とする、埃集積箱付きデスクマット。
【発明の詳細な説明】
【技術分野】
【０００１】本発明は、勉強・事務作業時に発生する消しゴム使用後の消しカスや埃等を四散させることなく１箇所へ集積する箱を有する塩化ビニール製または樹脂性軽量造形材製のデスクマットであって、従来既製品であるデスクマットを使用する要領と同様の動作でデスクマットを脱着及び利用出来る、携帯性と安全性を考慮した、埃等を集積する塩化ビニール製または樹脂性軽量造形材製の箱と塩化ビニール製または樹脂性軽量造形材製のマットを有するデスクマットを特徴とする、埃集積箱付きデスクマットに関する。
【背景技術】
【先行技術文献】
【０００２】従来品のデスクマットは、滑り止め機能・カレンダー機能・メモ機能・パソコン周辺機器を便利に利用する機能等を有しているものがある。（例えば特許文献１，特許文献２参照）。
【特許文献１】実用新案出願平９−２９５０
【特許文献２】実用新案出願平７−５１９７
【特許文献３】実用新案出願平１１−５７４１
【発明の概要】
【発明が解決しようとする課題】
【０００３】しかしながら従来品の、デスクマットは、消しゴムのカスや埃等を除去する為には、手で掃う他に別途掃除用具が必要であった。特に子供の消しゴム利用率は高く、机及びリビングテーブルの足元に消しゴムのカスが落ち、早急な清掃を怠ると床へ付着してしまうこともある等の点で不利がある。
【課題を解決するための手段】
【０００４】本発明は、軽量・安全性・便利性・携帯性の機能を有している塩化ビニール製または樹脂性軽量造形材製を、マットと埃集積箱両方共に同素材にて組み合わせたことによるデスクマットであって、従来既製品であるデスクマットを保持する要領と同様の動作で手軽に使用出来る、埃集積機能を有した箱を有する塩化ビニール製または樹脂性軽量造形材製マットを特徴とする、埃集積箱付きデスクマットを提供することで上記課題を解決する。
【発明の効果】
【０００５】本発明は、消しゴム利用時に発生する消しカスを除去したい時には、手で掃い落す動作により、マット上を別途清掃用具の使用無しに清掃することの出切る、安全性・操作便利性および携帯性に優れた快適さを確保するのに極めて有効である。
【発明を実施するための形態】
【０００６】本発明のデスクマットは、図１、図２、図３に示すように、塩化ビニール製または樹脂性造形軽量材製マット本体１の下部側へ樹脂性造形軽量材製の全ての出角を柔らかく、丸みを持たせて安全性を考慮した埃集積箱を設け、全体サイズＢ４〜Ａ２程度のマット１の一辺へ集積箱２を有することによって、手で埃等を手前へ掃っても、床まで埃が落ち難い構造を有する。
本発明は以上のような構造である。
【実施例】
【０００７】図１、図２、図３に示す樹脂性軽量造形材製の、全体サイズＢ４〜Ａ２程度で、厚み１．５ｍｍ前後のマット四辺の中の１辺へ、奥行き３〜５ｃｍ．深さサイズ３〜５ｃｍ．の埃集積箱を有することで、消しゴムのカス等の埃を掃った上に集積除去する際での好適な組み合わせとして標準化する。このことにより設計、施工製作が容易になる。また１のマット部および２の埃集積箱には従来規格品である塩化ビニール材または樹脂性軽量造形材製樹脂材を用いるのが最適である。２の集積箱の素材として耐蝕性のあるステンレス製部材や硬質部材は安価製作が難しいと思われるためである。【０００８】以上、本発明の実施の形態及び実施例を説明したが、本発明の範囲はこれに限定されるものではない。例えば、マット本体の１と埃集積箱２との設置位置、開口・深さのサイズ関係、あるいは１と２を脱着可能な機能を施すことは、状況に応じて適宜選択されるものである。【０００９】また、埃集積箱付きデスクマットは事務・勉強時における利用という一面に限らず、飲食時に利用しても良い。例えば幼児や介護を必要とされる場合の飲食での使用も可能である。【００１０】さらに、発明を実施するための最良の形態と実施例では、塩化ビニール製または樹脂製軽量造形材製の埃集積箱付きデスクマットについて説明しているが、材質は塩化ビニール製または樹脂性軽量造形材に限られたものではなく、その他例えば、軟質金属材、合成樹脂材、木材、弾性部材、セラミック材等、適当な任意の材料のものが利用でき、形状、大きさも任意に選定する事が出来る。また、用途も事務用品としての利用を目的とするものに限られず、主として簡易で便利性の埃集積道具として広く用いる事が可能である。
【産業上の利用可能性】
【００１１】本発明は、事務用品または台所用品を製造する産業で利用される。
【図面の簡単な説明】
【００１２】
【図１】本発明を実施するための最良の第一の形態の外観斜視図である。
【図２】本発明を実施するための最良の第一の形態の平面図である。
【図３】本発明を実施するための最良の第一の形態の断面図である。
【符号の説明】（１）    マット本体
（２）    埃集積箱
【図１】
2010167231.tif 000003
【図２】
2010167231.tif 000004
【図３】
2010167231.tif 000005
(57)【要約】【課題】ゴルフに使用されるクラブや野球のバットなどの運動用具が、競技中又は練習中に手から滑って離れる危険性を防止することができる運動用手袋を提供すること。【解決手段】ゴルフクラブや野球用バットなどの運動用具が手から滑り出ることのないように、運動用手袋に運動用具のグリップ部を保持する保持部として、掌側の表面に運動用具のグリップ部を通すリング状の保持部を形成する。運動用手袋におけるリング状の保持部は、柔軟性のある紐状の材料により構成するか、運動用具のグリップ部を通し易くするために、伸縮性のある材料により構成することが好ましい。【選択図】図２
2010167203.tif 000002
【特許請求の範囲】
【請求項１】
運動用手袋であって、掌側の表面に運動用具のグリップ部を通すリング状の保持部を形成したことを特徴とする運動用手袋。
【請求項２】
運動用手袋であって、掌側の表面を横切るように延びて該掌側の表面との間に運動用具のグリップ部を通す間隙部を形成する保持部を備えることを特徴とする運動用手袋。
【請求項３】
請求項１又は請求項２に記載した運動用手袋であって、前記保持部は、柔軟性のある紐状の材料により構成されたことを特徴とする運動用手袋。
【請求項４】
請求項１から請求項３までのいずれか1項に記載した運動用手袋であって、前記保持部は伸縮性のある材料により構成されたことを特徴とする運動用手袋。
【請求項５】
請求項１から請求項４までのいずれか１項に記載した運動用手袋であって、前記リング状の保持部は、細長い紐から構成され、該紐の一端が掌側の表面又は甲側の表面に固定され、他端がホック、ボタン、フック・ループファスナー等の機械的取付け手段により該掌側の表面又は甲側の表面に取り外し可能に固定されるように構成されたことを特徴とする運動用手袋。
【請求項６】
請求項１から請求項５までのいずれか1項に記載した運動用手袋であって、該運動用手袋は、ゴルフ用であり、前記リング状の保持部はゴルフクラブのグリップ部を保持するものであることを特徴とする運動用手袋。
【発明の詳細な説明】
【技術分野】
【０００１】
本件発明は、ゴルフ、野球等の運動において、ゴルフクラブ又は野球用バットなどの運動用具のグリップ部を把持するために使用される手袋に関する。
【背景技術】
【０００２】
ゴルフや野球などにおいては、ゴルフクラブ又はバットなどの運動用具を手で把持する場合に、滑りを防止し、或いは手を保護するために手袋を使用することが多い。しかし、用具のグリップ部が濡れた場合などにおいては用具が滑り易くなるため、競技中及び練習中に用具を用いてスイングしたときに、用具が手から滑って離れてしまうといった事態が生じる可能性があり、非常に危険である。
【発明の開示】
【発明が解決しようとする課題】
【０００３】
本発明は、ゴルフに使用されるクラブや野球のバットなどの運動用具が、競技中又は練習中のスイングに際して手から滑って離れる危険性を防止することができる運動用手袋を提供することを課題とする。
【課題を解決するための手段】
【０００４】
上記課題を解決するため、本発明は、ゴルフクラブや野球用バットなどの運動用具が手から滑り出ることのないように、該運動用具のグリップ部を保持する保持部を備えた運動用手袋を提供する。すなわち、本発明に一態様による運動用手袋は、掌側の表面に運動用具のグリップ部を通すリング状の保持部が形成されたことを特徴とする。本発明の他の態様による運動用手袋は、掌側の表面を横切るように延びて該掌側の表面との間に運動用具のグリップ部を通す間隙部を形成する保持部を備えることを特徴とする。
この運動用手袋において、リング状の保持部は、柔軟性のある紐状の材料により構成することが好ましい。さらに、リング状の保持部は、運動用具のグリップ部を通し易くするために、伸縮性のある材料により構成することが好ましい。リング状の保持部はまた、細長い紐から構成し、該紐の一端を掌側の表面又は甲側の表面に固定し、他端をホック、ボタン、又はベルクロファスナーとして知られるフック・ループファスナー等の機械的取付け手段により該掌側の表面又は甲側の表面に取り外し可能に固定されるように構成することもできる。
典型的には、本発明の運動用手袋は、ゴルフ用であり、この場合、リング状の保持部はゴルフクラブのグリップ部を保持するものとして構成される。運動用手袋が野球用である場合には、リング状の保持部は、打球後に手から離れ易く構成する必要がある。
【発明の効果】
【０００５】
以上述べたように、本発明の運動用手袋は、掌側の表面にゴルフクラブ又は野球バット、その他の運動用具のグリップ部を通す保持部が設けられているので、競技中又は練習中のスイングの際に、手が滑って用具が手から離れる危険がなくなり、安全に競技又は練習ができる。
【発明を実施するための最良の形態】
【０００６】
以下、本発明の実施の形態を図について説明する。図１はゴルフ用の手袋１を示すものであり、該手袋１の掌側の表面２には、両端が手袋の表面２に固定されてリング形状を形成するリング状の保持部３が固定される。この保持部３は、柔軟性があり、かつ伸縮性のある弾性材料により構成される。
【０００７】
図２は使用状態を示すものであり、ゴルフクラブ４のグリップ部が保持部３に通される。ゴルフクラブ４のグリップ部がリング状の保持部３に通されているので、競技者がクラブ３によりスイングをしたときに、仮に握りが緩んでも、或いは濡れて滑り易くなっているためにゴルフクラブ４のグリップが滑っても、クラブ４は手から離れることがなく、危険が防止される。
【０００８】
図３は、本発明の別の実施形態であり、保持部１３は、一端１３ａが手袋１１の掌側の表面１２に固定され、他端１３ｂがホック１５等の機械的取付け手段によって手袋１１の表面１２に取り外し可能に取り付けられる。ここで、機械的取付け手段としては、ホック１５に限らず、ボタン等の手段、或いはベルクロファスナーとして知られるフック・ループ型ファスナーを使用してもよい。機械的取付け手段が握りに邪魔になる場合には、図４に示すように、保持部２３を構成する紐状材料の端を手袋の甲側２４まで延ばして甲側に固定するようにしてもよい。また、図５に示すように、保持部２３の１端２３ａは手袋２１の手の甲側２１ａに固定し、保持部２３を手袋の掌側２１ｂに廻して他端２３ｂを手の甲側２１ａに固定するか又は取り外し自在に取り付けてもよい。
【図面の簡単な説明】
【０００９】
【図１】本発明の一実施形態によるゴルフ用手袋を示す図である。
【図２】図１に示すゴルフ用手袋の使用状態を示す図である。
【図３】本発明の他の実施形態によるゴルフ用手袋を示す図である。
【図４】本発明のさらに他の実施形態を示す図である。
【図５】本発明のさらに他の実施形態を示す図である。
【符号の説明】
【００１０】
１・・・ゴルフ用手袋
２・・・表面
３・・・保持部
４・・・ゴルフクラブ
【図１】
2010167203.tif 000003
【図２】
2010167203.tif 000004
【図３】
2010167203.tif 000005
【図４】
2010167203.tif 000006
【図５】
2010167203.tif 000007
(57)【要約】      （修正有）【課題】暖房用燃料として使用される木質ペレットの製造に必要な木質原料の不足、及びそれに伴う木質ペレット価格の高騰を解決するため、木質ペレットに新たな原料を添加・混合して製造した暖房用燃料を提供する。【解決手段】木質ペレット（全木ペレット、ホワイトペレット、バークペレット、牛糞ペレットなど）に、木質ペレットの代替燃料として、精米過程で発生する籾殻を添加して混合し、木質ペレットと籾殻を有する暖房用燃料とする。【選択図】なし【特許請求の範囲】
【請求項１】
木質燃焼を利用した暖冷房機の燃料木質ペレット（全木ペレット、ホワイトペレット、バークペレット、牛糞ペレットなど）に、精米過程に発生する籾殻を添加して混合することで、木質ペレットと籾殻を有する暖冷房用燃焼物が生成する。その生成された燃料を燃焼することで発生する熱を利用した暖冷房方法。
【発明の詳細な説明】
【技術分野】
【０００１】近年、暖房用燃料に木質を原料とした燃料が盛んに使われるようになってきました。したがって、木質を利用した燃料の使用が多くなればなるほど原料不足などの発生が見られるようになりました。
【背景技術】
【０００２】環境問題が問題視される現在、あらゆる分野でエコロジー活動が盛んに行われています。そんな関係上木質ペレット製造に必用な木質原料不足が起こってきました。そんな社会的背景の中から本発明の必要性が重要視されます。
特許文献に付きましては、調べましたが本発明に関連した同種の文献はありませんでした。
【発明の開示】
【発明が解決しようとする課題】
【０００３】木質ペレット製造に伴う原料不足は、ペレット製造業界、ペレットを使用している消費者側からも重要視されています。つまり、原料不足は即ペレット価格の高騰に至り、しいては、化石燃料市場との販売競争において障害が生じます。
【課題を解決するための手段】
【０００４】過去において、籾殻は燃焼燃料として使われていた。特殊なかまどを設け、ご飯を炊いたり、お風呂を沸かしたり、していました。
したがって、一定の熱燃料としてのカロリー量を持っています。この籾殻を木質ペレットと混合し、燃焼することで籾殻燃焼に伴う熱量分の熱量を得ることが出来る。つまり、結果的にその籾殻燃焼熱量分の木質燃焼が少なくなることで木質ペレットの使用量が少なくなるのである。
言い換えれば、木質ペレットの代替燃料として籾殻を混合使用することを目的とした暖房方法である。
【発明の効果】
【０００５】木質ペレット暖房に籾殻を添加し使用することで木質の需要が下がり、しいては、木質不足が解消され、価格も安定する。などの効果を目的に開発された方法である。
【発明を実施するための最良の形態】
【０００６】現在、木質ペレット製造と販売は異なった会社で販売されている。したがって、本、発明方法の実施は、ペレット製造所で混合製造して販売する方法もあり、販売会社で製造販売することも出来る。
また、本発明物である木質ペレットと籾殻の混合物は燃焼の際、現在では条件がある。それは燃焼するタイプの機種と連続運転不可能なタイプの機種が存在する。したがって、燃焼不可の機種に関しては酸素供給に伴う改造が必要になる。
【実施例】
【０００７】燃焼試験は三種類の方法で四回に渡って行われました。そのうちからの１回の実施試験を示す。
先ず、木質ペレットと籾殻との配合比率を２種類制作する。ペレット７：籾殻３、ペレット５：籾殻５、の比率です。
木質ペレット燃焼機は岩手県内のある会社の機種を選択し燃焼試験を開始する。
先ず木質ペレット１００％、試験物体積四リットルで行われ、燃焼試験結果は、燃焼時間三十二分を示す。次に木質ペレット７０％：籾殻３０％で燃焼試験を開始、燃焼時間は三十二分を示した。次に木質ペレット５０％：籾殻５０％で燃焼試験開始、燃焼時間は三十四分を示した。
本、実施試験結果からは、木質ペレットに籾殻を添加しての燃焼時間は木質ペレット１００％の燃焼時間に対して殆んど変わらないことを示していることが分かった。
【産業上の利用可能性】
【０００８】木質を燃料とした暖房方法は原料不足を引き起こしています。継続するためには課題を解消しなければなりません。本発明方法はこれらの課題の解消を目指しています。
さらに、籾殻燃焼は資源の有効活用の面からも重要視される。
(57)【要約】【課題】  従来新幹線で時速３５０ｋｍ位で走行していたが、真空列車用トンネル内に、リニアモーターカーを走らせることにより、更に速度を上げることができる。【解決手段】  現在、着工しているリニアモーターカーの速度は、時速５５０ｋｍとされているが、真空状態にしたパイプ状トンネルを設置し、その中をリニアモーターカーが、走行した場合、空気摩擦が無くなるため、より高速走行ができる。【選択図】図１
2010163151.tif 000002
【特許請求の範囲】
【請求項１】
従来のトンネル内に、パイプ状のトンネルを設置する。
【請求項２】
パイプ状のトンネル内は、空気を抜き真空状態にした内に、リニアモーターカーを走らせ両側に蓋をする。
【発明の詳細な説明】
【技術の分野】
【０００１】  リニアモーターカーの速度を増すための技術。
【背景技術】
【０００２】
【非特許文献１】従来、新幹線で時速３６０ｋｍ位で、走行していたものを、より速くする。
【発明の開示】
【発明が解決しようとする課題】
【０００３】  リニアモーターカーの速度を更に速める。
【課題を解決するための手段】
【０００４】  パイプ状トンネル内の空気を抜くことにより、リニアモーターカーに、かかる空気圧を受けないようにする。【０００５】  パイプ状の真空列車用トンネルは、空気圧に耐えられる厚みにする。【０００６】  リニアモーターカー本体は、まるみを造り、圧力に耐える。車両内部の透き間に、酸素を積みこむ。【０００７】  乗客が乗り降りする時、通路は蛇腹にして、車両に吸い付くようにして、真空トンネル内に空気が入り込まないようにする。
【発明の効果】
【０００８】  リニアモーターカーの速度が上がり、大巾な時間短縮になる。【０００９】  従来の速さでは、満足できないので、より一層の速度を上げて走行する。【００１０】  トンネルがパイプ状になっているので、カーブしても速度は落さないように左右から磁気で、ブレ等のガードをする。【００１１】  リニアモーターカーとは、従来のモーターのように回転運動ではなく、直線運動で動力を得るところに特徴がある。すでに１９世紀前半にイギリスで発明されている。次世代の超高速鉄道として、リニアモーターの原理と磁気浮上の原理を組み合わせた磁気浮上方式リニアモーターカーの開発に着手したのである。
超電導とは、金属物質に、ある一定の温度以下になると電気抵抗ゼロになるといい、この状態の金属物質に電流を流すと永久に流れ続け、強力な磁界を発生する。これが超電動磁石である。【００１２】  東京−大阪間５００ｋｍを１時間以内で結ばれたら、ニューヨークとロスアンゼルス、北京−パリ、ロンドン、モスクワ、ローマ等々に走れたら、これからのグローバルの時代とされ、産業も変り観光と実業を兼ねた乗物となる。
陸続きの場合は、飛行機移動に比べ環境にも良い。
【発明を実施するための最良の形態】
【００１３】  トンネル内の空気を抜くことにより、リニアモーターカーに、かかる空気圧を受けないようにする。【００１４】列車内は、飛行機内と同様に酸素マスクを設置してトラブル発生時には、各自に酸素マスクが上から降りてくる。
【実施例】
【００１５】  新幹線、飛行機
【産業上の利用可能性】
【００１６】  移動時間の短縮により、業務等の時間が増える。
他国からの観光にも役立つ。
【図面の簡単な説明】
【００１７】
【図１】トンネル内の列車を正面から見た上り線と下り線の図
【図２】片側通行の図
【図３】駅に停車した時の図
【図４】側面から見た図
【符号の説明】
【００１８】  １  従来のトンネル
２  真空列車用トンネル
３  リニアモーターカー本体
４  トンネルを支える土台
５  リニアモーターカーを走らす軌道
６  乗降口
７  扉
８  プラットホーム
９  軌道を支える柱、土台
１０  プラットホームを支える柱
１１  乗降通路
【図１】
2010163151.tif 000003
【図２】
2010163151.tif 000004
【図３】
2010163151.tif 000005
【図４】
2010163151.tif 000006
(57)【要約】      （修正有）【課題】自動車のシートベルトをいかにスムーズに着用を可能にし、シートベルトのかけ忘れをなくす事を可能にする。【解決手段】シートベルトのバックル（受け口）を自動上下させるには、モーターが必要ですが、各自動車メーカーによってモーターの形も異なるため、運転席・助手席は、モーター１つで上り下りをしてほしいと思います。ただし、モーターの取付けは、運転席・助手席と同じ要領で取付けたいと思っております。【選択図】図２
2010163148.tif 000002
【特許請求の範囲】
【請求項１】
自動車のシートベルトを着用する時のバックル（受け口）が自動的に上がり、差し込むと自動的に下がる。
シートベルトバックル（受け口）の自動上下装置
【発明の詳細な説明】
【技術分野】
【０００１】本発明は、自動車のシートベルトをスムーズに着用する為のバックル（受け口）の自動上下装置に関する。
【背景技術】
【０００２】自動車の運転中はシートベルトの着用は義務付けられている今、従来の自動車のシートベルトは、着用しないで運転していると「ピーピー」と警告音が鳴って知らせる自動車もあるが、何も鳴らない自動車もある。
【発明の開示】
【発明が解決しようとする課題】
【０００３】従来の自動車のシートベルトのバックル（受け口）の位置は、非常に入れにくい場所にあり、片手では時間がかかります。
【課題を解決するための手段】
【０００４】本発明は、自動車のカギを差し、エンジンをかけると自動的にシートベルトのバックル（受け口）が、３０ｃｍほど上がり、カチッと閉めると自動的に納まる。使用しない座席は、シートベルトボタンを押すとバックル（受け口）が元に納まる。
【発明の効果】
【０００５】本発明は、自動車のエンジンをかけると自動的にバックル（受け口）が出てくるので、シートベルトのかけ忘れがなく、片手でスムーズに差し込める。
【発明を実施するための最良の形態】
【０００６】本発明は、図１に示されるようにカギを差しエンジンをかけると、図２のようにシートベルトのバックル（受け口）が３０ｃｍ伸びて、図３のようにカチッと閉めると自動的にバックル（受け口）も下に下がり納まる。また使用しない座席は、図４のようにシートベルトボタンを押すとバックル（受け口）が下に納まる。
【図面の簡単な説明】
【０００７】
【図１】シートベルトボタンの位置
【図２】エンジンをかけてシートベルトのバックル（受け口）が、上がった図
【図３】シートベルトをバックル（受け口）に差し込み、下に納まる図
【図４】使用しない座席をシートベルトボタンを押してバックル（受け口）を下ろした状態の図
【図１】
2010163148.tif 000003
【図２】
2010163148.tif 000004
【図３】
2010163148.tif 000005
【図４】
2010163148.tif 000006
(57)【要約】【課題】外付けで自動車のフロントガラス部を外側から覆うフロントガラスカバーで、日除け、氷結防止でき、カバーの両サイドに耳部設け強風、盗難防止に最適なフロントガラスカバーを提供する。【解決手段】自動車のフロントガラスに外付けでフロントガラスカバーを取付ける際に、車体のフロントガラスの巾より両端に１００〜２００ｍｍの巾広の耳部を設け、その両端の耳部を車体のドアーを開けて、耳部をドアーの中に挿入してドアーを閉める、そしてドアーのキーを閉める。強風により抜けないように又盗難防止になる、ドアーを開ければフロントガラスカバーは容易に外せる強風防止、盗難防止用フロントガラスカバーである。【選択図】図１
2010163150.tif 000002
【特許請求の範囲】
【請求項１】
自動車のフロントガラスカバーの両端に１００〜２００ｍｍ巾広の耳部を設けた事を特徴とする盗難防止用フロントガラスカバー。
【請求項２】
自動車のフロントガラスカバーの両端の巾広の耳部を自動車の運転席側と助手席側のドアーに挟み込む請求項１記載の盗難防止用フロントガラスカバー。
【請求項３】
自動車のフロントガラスカバーの上部、下部、フロントガラスの巾の外側両サイド部にマグネットを埋め込み磁気により、フロントガラスを車体に吸着する請求項１あるいは２記載のいずれか一方の盗難防止用フロントガラスカバー。
【発明の詳細な説明】
【技術分野】
【０００１】  本発明は、屋外で駐車中の自動車の日除け或いは冬季の結露、氷結の防止用の外付け盗難防止自動車のフロントガラスカバーに関するものである。
【背景技術】
【０００２】  従来は、自動車のフロントガラスカバーは冬季にはフロントガラスの表面が凍結するための予防に、又は埃よけに、夏季には太陽の輻射熱によって駐車中の車内が熱くなるため断熱シートなどで日除けに使用されて、ゴム紐又はマグネット、吸盤等で車体に固定されているが、強風などで飛ばされてしまう、又は、カバーの盗難等の問題が残されている。
【発明の開示】
【発明が解決しようとする課題】
【０００３】  従来は、自動車カバーは様々なカバーがあり、殆どは雨や、埃等から自動車のボデイ全体を覆うものが多く、フロントガラスのみを覆うものはあまり見当たらない、夏場のフロントガラスの日除けは、フロントガラスの内側に吸盤で取付けるタイプのものはある。又、自動車のボデイ全体をカバーはカバーの端部についているフックによって車体の低部又はタイヤ周りに固定しているが、風などで容易に外れたり又は、盗難防止にならないなど問題がある。
【問題を解決するための手段】
【０００４】  本発明は、フロントガラスのカバーにおいて、上記の欠点を解決するためのアイデアで、外付けのフロントガラスカバーで、車体のフロントガラスの巾より両端に１００〜２００ｍｍの耳を設け、その両端の耳を車体のドアーを開けて、耳をドアーの中に挿入して、ドアーを閉める。フロントガラスカバーの耳が抜けないように設けてドアーのキーを閉める。ドアーを開ければフロントガラスカバーは容易に外せるが、強風では外れなく又盗難防止用にもなる、又フロントガラスカバーの上部と下部に磁気入りのゴム板を設け車体に吸着した自動車用のフロントガラスカバーを提供する。
【発明の効果】
【０００５】  本発明の自動車フロントガラスカバーは、両端に巾広の耳が設けてあり、耳の部分が運転席側と助手席側のドアーを閉めて挟み込み、強風で外れないと同時に盗難防止にもなり、日除け、氷結に大いに効果が期待できる。
【発明を実施するための最良の形態】
【０００６】  本発明は、フロントガラスのカバーにおいて、上記の欠点を解決するためのアイデアで、外付けのフロントガラスカバーで、車体のフロントガラスの巾より両端に１００〜２００ｍｍの耳部を設け、その両端の耳部を車体のドアーを開けて、耳部をドアーの内側車体内に挿入して、ドアーを閉める。フロントガラスカバーの耳部が抜けないように設け、又フロントガラスカバーの上部と下部に磁気入れの短いゴム板を各数け所に設け車体に吸着させ、ドアーのキーを閉める。ドアーを開ければフロントガラスカバーは容易に外せる。又、強風でも外れないため飛ばない盗難防止用フロントガラスカバーを提供する。
【図面の簡単な説明】
【０００７】
【図１】  本発明のフロントガラスカバーの正面図
【図２】  本発明のフロントガラスカバーの平面図Ａ
【図３】  本発明のフロントガラスカバーの平面図Ｂ
【図４】  本発明のフロントガラスカバーＡ−Ａの断面図
【図５】  本発明のフロントガラスカバーの右側面図
【図６】  本発明のフロントガラスカバー実施図
【符号の説明】
【０００８】    １  自動車
２  フロントガラス
３  フロントガラスカバー
４  耳部
５  ドアー
６  マグネットゴム
７  合成樹脂シート
【図１】
2010163150.tif 000003
【図２】
2010163150.tif 000004
【図３】
2010163150.tif 000005
【図４】
2010163150.tif 000006
【図５】
2010163150.tif 000007
【図６】
2010163150.tif 000008
【手続補正書】
【提出日】平成21年10月13日(2009.10.13)
【手続補正１】
【補正対象書類名】特許請求の範囲
【補正対象項目名】請求項１
【補正方法】変更
【補正の内容】
【請求項１】
自転車のフロントガラスカバーの両端に１００〜２００ｍｍ幅広の耳部を設けたその端に凸面を有す事を特徴とする盗難防止用フロントガラスカバー。